【手続補正書】
【提出日】平成16年6月15日(2004.6.15)
【手続補正１】
【補正対象書類名】明細書
【補正対象項目名】特許請求の範囲
【補正方法】変更
【補正の内容】
【特許請求の範囲】
【請求項１】
支持体上に少なくとも１層以上の無機微粒子を含むインク吸収層を有するインクジェット記録用紙の製造方法において、該インク吸収層の塗布液を塗布した塗膜の膜面温度を３０℃以下、乾燥速度（ｈ×ΔＴ）が５００以上で乾燥させることを特徴とするインクジェット記録用紙の製造方法。但し、ｈは、伝熱係数（ｋｃａｌ／ｍ2・℃・ｈｒ）を表し、ΔＴ（℃）は、送風温度と塗膜の膜面温度との差を表す。
【請求項２】
支持体上に少なくとも１層以上の無機微粒子を含むインク吸収層を有するインクジェット記録用紙の製造方法において、該インク吸収層の塗布液を塗布した塗膜の含水率が２００％〜３０％の乾燥領域で、膜面温度が３０℃以下であることを特徴とするインクジェット記録用紙の製造方法。
【請求項３】
乾燥速度（ｈ×ΔＴ）が５００以上であることを特徴とする請求項２記載のインクジェット記録用紙の製造方法。
【請求項４】
支持体上に少なくとも１層以上の無機微粒子を含むインク吸収層を有するインクジェット記録用紙の製造方法において、該インク吸収層の塗布液を塗布した塗膜の含水率が１０００％〜５００％の乾燥領域で、膜面温度が２０℃以下かつ膜面風速が３０ｍ／ｓｅｃ以下であることを特徴とするインクジェット記録用紙の製造方法。
【請求項５】
支持体上に少なくとも１層以上の無機微粒子を含むインク吸収層を有するインクジェット記録用紙の製造方法において、該インク吸収層の塗布液を塗布した塗膜の含水率が１０００％〜５００％の乾燥領域で、膜面温度が２０℃以下であり、かつ乾燥装置にスリットノズルを用いることを特徴とするインクジェット記録用紙の製造方法。
【請求項６】
上記インク吸収層の塗布液を塗布した塗膜の乾燥工程中に塗膜の含水率と膜面温度を求め、送風の乾球温度を制御することを特徴とするインクジェット記録用紙の製造方法。
【請求項７】
支持体上に少なくとも１層以上の無機微粒子を含むインク吸収層を有するインクジェット記録用紙の製造方法において、該インク吸収層の塗布液を塗布した塗膜の含水率が１５％以下の乾燥領域で、膜面温度が４０℃以上であることを特徴とするインクジェット記録用紙の製造方法。
【請求項８】
ヒートロール又は遠赤外線により膜面温度を４０℃以上にすることを特徴とする請求項７記載のインクジェット記録用紙の製造方法。
【手続補正２】
【補正対象書類名】明細書
【補正対象項目名】０００８
【補正方法】変更
【補正の内容】
【０００８】
（１）  支持体上に少なくとも１層以上の無機微粒子を含むインク吸収層を有するインクジェット記録用紙の製造方法において、該インク吸収層の塗布液を塗布した塗膜の膜面温度を３０℃以下、乾燥速度（ｈ×ΔＴ）が５００以上で乾燥させることを特徴とするインクジェット記録用紙の製造方法。但し、ｈは、伝熱係数（ｋｃａｌ／ｍ2・℃・ｈｒ）を表し、ΔＴ（℃）は、送風温度と塗膜の膜面温度との差を表す。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】変更
【補正の内容】
【００１０】
（２）  支持体上に少なくとも１層以上の無機微粒子を含むインク吸収層を有するインクジェット記録用紙の製造方法において、該インク吸収層の塗布液を塗布した塗膜の含水率が２００％〜３０％の乾燥領域で、膜面温度が３０℃以下であることを特徴とするインクジェット記録用紙の製造方法。
【手続補正５】
【補正対象書類名】明細書
【補正対象項目名】００１１
【補正方法】変更
【補正の内容】
【００１１】
（３）  乾燥速度（ｈ×ΔＴ）が５００以上であることを特徴とする前記２記載のインクジェット記録用紙の製造方法。
【手続補正６】
【補正対象書類名】明細書
【補正対象項目名】００１２
【補正方法】変更
【補正の内容】
【００１２】
（４）  支持体上に少なくとも１層以上の無機微粒子を含むインク吸収層を有するインクジェット記録用紙の製造方法において、該インク吸収層の塗布液を塗布した塗膜の含水率が１０００％〜５００％の乾燥領域で、膜面温度が２０℃以下かつ膜面風速が３０ｍ／ｓｅｃ以下であることを特徴とするインクジェット記録用紙の製造方法。
【手続補正７】
【補正対象書類名】明細書
【補正対象項目名】００１３
【補正方法】変更
【補正の内容】
【００１３】
（５）  支持体上に少なくとも１層以上の無機微粒子を含むインク吸収層を有するインクジェット記録用紙の製造方法において、該インク吸収層の塗布液を塗布した塗膜の含水率が１０００％〜５００％の乾燥領域で、膜面温度が２０℃以下であり、かつ乾燥装置にスリットノズルを用いることを特徴とするインクジェット記録用紙の製造方法。
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】変更
【補正の内容】
【００１５】
（６）  上記インク吸収層の塗布液を塗布した塗膜の乾燥工程中に塗膜の含水率と膜面温度を求め、送風の乾球温度を制御することを特徴とするインクジェット記録用紙の製造方法。
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】変更
【補正の内容】
【００１７】
（７）  支持体上に少なくとも１層以上の無機微粒子を含むインク吸収層を有するインクジェット記録用紙の製造方法において、該インク吸収層の塗布液を塗布した塗膜の含水率が１５％以下の乾燥領域で、膜面温度が４０℃以上であることを特徴とするインクジェット記録用紙の製造方法。
【手続補正１２】
【補正対象書類名】明細書
【補正対象項目名】００１８
【補正方法】変更
【補正の内容】
【００１８】
（８）  ヒートロール又は遠赤外線により膜面温度を４０℃以上にすることを特徴とする前記７記載のインクジェット記録用紙の製造方法。
【手続補正１３】
【補正対象書類名】明細書
【補正対象項目名】００１９
【補正方法】変更
【補正の内容】
【００１９】
なお、支持体上に少なくとも１層以上の無機微粒子を含むインク吸収層を有するインクジェット記録用紙の製造方法において、該インク吸収層の塗布液を塗布した塗膜の含水率が１０００％〜５００％の乾燥領域で、膜面風速ｖ（ｍ／ｓｅｃ）と塗布膜の粘度μ（Ｐ）の比ｖ／μが０．５以下であること、又は、該インク吸収層の塗布液を塗布した塗膜の含水率が１５％以下の時、巻き取り時のウェブにかかる張力が１００ｋｇｆ／ｍ以下であることが好ましい。
以下、本発明を詳細に説明する。本発明者は、インクジェット記録用紙の、ひび割れをなくすには、インク吸収層の塗布液を塗布した塗膜の含水率（以下単に膜含水率ともいう）が２００％〜３０％の乾燥工程で、膜面温度を低く、かつ、乾燥速度を速く乾燥することが最も有効であることを見出し本発明をなした。特に、膜面温度を３０℃以下、好ましくは２６℃以下で、乾燥速度（ｈ×ΔＴ）を５００以上にするとひび割れのない優れたインクジェット記録用紙を製造することができる。
【手続補正１４】
【補正対象書類名】明細書
【補正対象項目名】００２０
【補正方法】変更
【補正の内容】
【００２０】
本発明において、含水率とは固形分に対する水分の重量％をいう。本発明の乾燥は、トンネル状の乾燥装置で、所定の塗布液が塗布された試料を移動しつつ乾燥するが、該乾燥装置はいくつかに分かれており、それぞれの乾燥装置で膜含水率を効率よく測定できるように予め測定機が設置されている。本発明の伝熱係数ｈ（ｋｃａｌ／ｍ2・℃・ｈｒ）は、上述した、それぞれの乾燥装置の平均的な乾燥能力から算出した。又、膜面風速とは塗膜面近傍の風速をいう。
【手続補正１５】
【補正対象書類名】明細書
【補正対象項目名】００２１
【補正方法】変更
【補正の内容】
【００２１】
又、吹かれは、膜含水率１０００％〜５００％の乾燥工程で、膜面温度が２０℃以下かつ膜面風速が３０ｍ／ｓｅｃ以下で乾燥することにより防ぐことができる。特に膜含水率７００％〜５００％の時、膜面風速２０ｍ／ｓｅｃ〜３０ｍ／ｓｅｃ、膜面温度２０℃以下にすると全く発生しない。更に、吹かれは膜面風速だけでなく、塗膜の粘度も関係する。膜含水率１０００％〜５００％の乾燥領域では、乾燥が進んでいないので、十分な粘度があるとはいえず、塗膜面への気流による動圧が推進力となり、粘度に逆比例して膜圧変動が大きくなる。このため、膜面風速ｖを粘度μで除した商ｖ／μを指標にし、吹かれによる筋むらの抑制に効果を奏することを見出した。
【手続補正１６】
【補正対象書類名】明細書
【補正対象項目名】００５８
【補正方法】変更
【補正の内容】
【００５８】
原紙は抄紙段階または抄紙後にカレンダー処理して高平滑性を与えることも出来る。原紙密度は０．７乃至１．２ｇ／ｍ3（ＪＩＳ−Ｐ−８１１８）が一般的である。更に原紙剛度はＪＩＳ−Ｐ−８１４３に規定される条件で２０乃至２００ｇが好ましい。